【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
酸素を含有する雰囲気中で、中空グラフェンシート体に、グラフェンシートの酸化を誘起する金属微粒子が存在しない状態での前記中空グラフェンシート体の燃焼温度未満の温度で加熱することにより前記グラフェンシートに前記金属微粒子を作用させ、前記中空グラフェンシート体の形状を加工した中空グラフェンシート構造体であって、
少なくとも一対の中空グラフェンシート体が連続した形状に配置されており、前記一対の中空グラフェンシート体の互いに近接する側の端部同士が、間隙を介して相対していることを特徴とする中空グラフェンシート構造体。
【請求項２】
グラフェンシートの酸化を誘起する金属微粒子を固着させた基板表面に中空グラフェンシート体を供給し、酸素を含有する雰囲気中で、前記金属微粒子が存在しない状態での前記中空グラフェンシート体の燃焼温度未満の温度で加熱することにより前記グラフェンシートに前記金属微粒子を作用させ、前記中空グラフェンシート体の形状を加工することを特徴とする中空グラフェンシート構造体の製造方法。
【請求項３】
前記金属微粒子が、金の微粒子であることを特徴とする請求項２に記載の中空グラフェンシート構造体の製造方法。
【請求項４】
酸素を含有する雰囲気中で、中空グラフェンシート体に、グラフェンシートの酸化を誘起する金属微粒子が存在しない状態での前記中空グラフェンシート体の燃焼温度未満の温度で加熱することにより前記グラフェンシートに前記金属微粒子を作用させ、前記中空グラフェンシート体の形状を加工する中空グラフェンシート構造体の製造方法であって、
前記金属微粒子が、銀、銅及び白金から選ばれる少なくともいずれかの金属の微粒子であることを特徴とする中空グラフェンシート構造体の製造方法。
【請求項５】
前記中空グラフェンシート体がマルチウォールカーボンナノチューブであり、前記金属微粒子が白金の微粒子であることを特徴とする請求項４に記載の中空グラフェンシート構造体の製造方法。
【請求項６】
酸素を含有する雰囲気中で、中空グラフェンシート体に、グラフェンシートの酸化を誘起する金属微粒子が存在しない状態での前記中空グラフェンシート体の燃焼温度未満の温度で加熱することにより前記グラフェンシートに前記金属微粒子を作用させ、前記中空グラフェンシート体の形状を加工する中空グラフェンシート構造体の製造方法であって、
前記金属微粒子を、マスクを用いて前記中空グラフェンシート体の長さ方向の中途位置に配置することを特徴とする中空グラフェンシート構造体の製造方法。
【請求項７】
前記中空グラフェンシート体の長さ方向の中途位置に前記金属微粒子を配置し、該金属微粒子が配置された位置近傍のみのグラフェンシートを酸化させることにより、前記中空グラフェンシート体を当該位置で切断することを特徴とする請求項２、４及び６のいずれかに記載の中空グラフェンシート構造体の製造方法。
【請求項８】
請求項６または７に記載の中空グラフェンシート構造体の製造方法であって、さらに前記金属微粒子を除去する工程を備えることを特徴とする中空グラフェンシート構造体の製造方法。
【請求項９】
間隙を介して相対する一対の電極を有する電極構造体であって、前記電極が、連続した形状に配置された一対の中空グラフェンシート体であり、該一対の中空グラフェンシート体の互いに近接する側の端部同士が、間隙を介して相対していることを特徴とする電極構造体。
【請求項１０】
前記間隙に、金属微粒子が配置されてなり、該金属微粒子と前記一対の中空グラフェンシート体の互いに近接する側のそれぞれの端部との間に、微小間隙を有することを特徴とする請求項９に記載の電極構造体。
【請求項１１】
前記間隙に、金属微粒子が配置されてなり、該金属微粒子と、前記一対の中空グラフェンシート体の一方の端部とが、電気的に接続された状態であることを特徴とする請求項９に記載の電極構造体。
【請求項１２】
請求項９〜１１のいずれかに記載の電極構造体を製造するための製造方法であって、酸素を含有する雰囲気中で、中空グラフェンシート体の長さ方向の中途位置に金属微粒子を配置し、該金属微粒子が配置された位置近傍のみのグラフェンシートを酸化させることにより、前記中空グラフェンシート体を当該位置で切断し、分離された一対の中空グラフェンシート体を電極とすることを特徴とする電極構造体の製造方法。
【請求項１３】
請求項１２に記載の電極構造体の製造方法であって、前記金属微粒子が、基板表面に固着されていることを特徴とする電極構造体の製造方法。
【請求項１４】
請求項１２に記載の電極構造体の製造方法であって、さらに前記金属微粒子を除去する工程を備えることを特徴とする電極構造体の製造方法。
【請求項１５】
前記金属微粒子が、金の微粒子であることを特徴とする請求項１２〜１４のいずれかに記載の電極構造体の製造方法。
【請求項１６】
前記金属微粒子が、銀、銅及び白金から選ばれる少なくともいずれかの金属の微粒子であることを特徴とする請求項１２〜１４のいずれかに記載の電極構造体の製造方法。
【請求項１７】
請求項１０に記載の電極構造体に対し、所定の電気的作用を生ずる機能素子を、前記微小間隙を介して対向する前記中空グラフェンシート体の端部と、前記金属微粒子と、にそれぞれ接続することによって構成されることを特徴とするデバイス。
【請求項１８】
請求項１０に記載の電極構造体における、前記微小間隙を介して対向する前記中空グラフェンシート体の端部と前記金属微粒子との当該微小間隙に、機能性有機分子を挿入することよって構成されることを特徴とするデバイス。
【請求項１９】
１層以上のグラフェンシートがチューブ状に構成される中空グラフェンシート構造体であって、該中空グラフェンシート構造体の長さ方向において、さらに１層以上のグラフェンシートがチューブ状に積層された領域を有することを特徴とする中空グラフェンシート構造体。
【手続補正２】
【補正対象書類名】明細書
【補正対象項目名】００２１
【補正方法】変更
【補正の内容】
【００２１】
すなわち本発明は、
＜１＞  酸素を含有する雰囲気中で、中空グラフェンシート体に、グラフェンシートの酸化を誘起する金属微粒子が存在しない状態での前記中空グラフェンシート体の燃焼温度未満の温度で加熱することにより前記グラフェンシートに前記金属微粒子を作用させ、前記中空グラフェンシート体の形状を加工した中空グラフェンシート構造体であって、
少なくとも一対の中空グラフェンシート体が連続した形状に配置されており、前記一対の中空グラフェンシート体の互いに近接する側の端部同士が、間隙を介して相対していることを特徴とする中空グラフェンシート構造体である。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
＜２＞  グラフェンシートの酸化を誘起する金属微粒子を固着させた基板表面に中空グラフェンシート体を供給し、酸素を含有する雰囲気中で、前記金属微粒子が存在しない状態での前記中空グラフェンシート体の燃焼温度未満の温度で加熱することにより前記グラフェンシートに前記金属微粒子を作用させ、前記中空グラフェンシート体の形状を加工することを特徴とする中空グラフェンシート構造体の製造方法である。
【手続補正５】
【補正対象書類名】明細書
【補正対象項目名】００２４
【補正方法】変更
【補正の内容】
【００２４】
＜３＞  前記金属微粒子が、金の微粒子であることを特徴とする＜２＞に記載の中空グラフェンシート構造体の製造方法である。
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】変更
【補正の内容】
【００２６】
＜４＞ 酸素を含有する雰囲気中で、中空グラフェンシート体に、グラフェンシートの酸化を誘起する金属微粒子が存在しない状態での前記中空グラフェンシート体の燃焼温度未満の温度で加熱することにより前記グラフェンシートに前記金属微粒子を作用させ、前記中空グラフェンシート体の形状を加工する中空グラフェンシート構造体の製造方法であって、
前記金属微粒子が、銀、銅及び白金から選ばれる少なくともいずれかの金属の微粒子であることを特徴とする中空グラフェンシート構造体の製造方法である。
【手続補正８】
【補正対象書類名】明細書
【補正対象項目名】００２７
【補正方法】変更
【補正の内容】
【００２７】
＜５＞  前記中空グラフェンシート体がマルチウォールカーボンナノチューブであり、前記金属微粒子が白金の微粒子であることを特徴とする＜４＞に記載の中空グラフェンシート構造体の製造方法である。
【手続補正９】
【補正対象書類名】明細書
【補正対象項目名】００２８
【補正方法】変更
【補正の内容】
【００２８】
＜６＞ 酸素を含有する雰囲気中で、中空グラフェンシート体に、グラフェンシートの酸化を誘起する金属微粒子が存在しない状態での前記中空グラフェンシート体の燃焼温度未満の温度で加熱することにより前記グラフェンシートに前記金属微粒子を作用させ、前記中空グラフェンシート体の形状を加工する中空グラフェンシート構造体の製造方法であって、
前記金属微粒子を、マスクを用いて前記中空グラフェンシート体の長さ方向の中途位置に配置することを特徴とする中空グラフェンシート構造体の製造方法である。
【手続補正１０】
【補正対象書類名】明細書
【補正対象項目名】００２９
【補正方法】変更
【補正の内容】
【００２９】
＜７＞ 前記中空グラフェンシート体の長さ方向の中途位置に前記金属微粒子を配置し、該金属微粒子が配置された位置近傍のみのグラフェンシートを酸化させることにより、前記中空グラフェンシート体を当該位置で切断することを特徴とする＜２＞、＜４＞及び＜６＞のいずれかに記載の中空グラフェンシート構造体の製造方法である。
【手続補正１１】
【補正対象書類名】明細書
【補正対象項目名】００３０
【補正方法】変更
【補正の内容】
【００３０】
＜８＞  ＜６＞または＜７＞に記載の中空グラフェンシート構造体の製造方法であって、さらに前記金属微粒子を除去する工程を備えることを特徴とする中空グラフェンシート構造体の製造方法である。
【手続補正１２】
【補正対象書類名】明細書
【補正対象項目名】００３１
【補正方法】変更
【補正の内容】
【００３１】
＜９＞  間隙を介して相対する一対の電極を有する電極構造体であって、前記電極が、連続した形状に配置された一対の中空グラフェンシート体であり、該一対の中空グラフェンシート体の互いに近接する側の端部同士が、間隙を介して相対していることを特徴とする電極構造体である。
【手続補正１３】
【補正対象書類名】明細書
【補正対象項目名】００３２
【補正方法】変更
【補正の内容】
【００３２】
＜１０＞  前記間隙に、金属微粒子が配置されてなり、該金属微粒子と前記一対の中空グラフェンシート体の互いに近接する側のそれぞれの端部との間に、微小間隙を有することを特徴とする＜９＞に記載の電極構造体である。
【手続補正１４】
【補正対象書類名】明細書
【補正対象項目名】００３３
【補正方法】変更
【補正の内容】
【００３３】
＜１１＞  前記間隙に、金属微粒子が配置されてなり、該金属微粒子と、前記一対の中空グラフェンシート体の一方の端部とが、電気的に接続された状態であることを特徴とする＜９＞に記載の電極構造体である。
【手続補正１５】
【補正対象書類名】明細書
【補正対象項目名】００３４
【補正方法】変更
【補正の内容】
【００３４】
＜１２＞ ＜９＞〜＜１１＞のいずれかに記載の電極構造体を製造するための製造方法であって、酸素を含有する雰囲気中で、中空グラフェンシート体の長さ方向の中途位置に金属微粒子を配置し、該金属微粒子が配置された位置近傍のみのグラフェンシートを酸化させることにより、前記中空グラフェンシート体を当該位置で切断し、分離された一対の中空グラフェンシート体を電極とすることを特徴とする電極構造体の製造方法である。
【手続補正１６】
【補正対象書類名】明細書
【補正対象項目名】００３５
【補正方法】変更
【補正の内容】
【００３５】
＜１３＞ ＜１２＞に記載の電極構造体の製造方法であって、前記金属微粒子が、基板表面に固着されていることを特徴とする電極構造体の製造方法である。
【手続補正１７】
【補正対象書類名】明細書
【補正対象項目名】００３６
【補正方法】変更
【補正の内容】
【００３６】
＜１４＞ ＜１２＞に記載の電極構造体の製造方法であって、さらに前記金属微粒子を除去する工程を備えることを特徴とする電極構造体の製造方法である。
【手続補正１８】
【補正対象書類名】明細書
【補正対象項目名】００３７
【補正方法】変更
【補正の内容】
【００３７】
＜１５＞  前記金属微粒子が、金の微粒子であることを特徴とする＜１２＞〜＜１４＞のいずれかに記載の電極構造体の製造方法である。
【手続補正１９】
【補正対象書類名】明細書
【補正対象項目名】００３８
【補正方法】変更
【補正の内容】
【００３８】
＜１６＞  前記金属微粒子が、銀、銅及び白金から選ばれる少なくともいずれかの金属の微粒子であることを特徴とする＜１２＞〜＜１４＞のいずれかに記載の電極構造体の製造方法である。
【手続補正２０】
【補正対象書類名】明細書
【補正対象項目名】００３９
【補正方法】変更
【補正の内容】
【００３９】
＜１７＞ ＜１０＞に記載の電極構造体に対し、所定の電気的作用を生ずる機能素子を、前記微小間隙を介して対向する前記中空グラフェンシート体の端部と、前記金属微粒子と、にそれぞれ接続することによって構成されることを特徴とするデバイスである。
【手続補正２１】
【補正対象書類名】明細書
【補正対象項目名】００４０
【補正方法】変更
【補正の内容】
【００４０】
＜１８＞ ＜１０＞に記載の電極構造体における、前記微小間隙を介して対向する前記中空グラフェンシート体の端部と前記金属微粒子との当該微小間隙に、機能性有機分子を挿入することよって構成されることを特徴とするデバイスである。
【手続補正２２】
【補正対象書類名】明細書
【補正対象項目名】００４１
【補正方法】変更
【補正の内容】
【００４１】
＜１９＞  １層以上のグラフェンシートがチューブ状に構成される中空グラフェンシート構造体であって、該中空グラフェンシート構造体の長さ方向において、さらに１層以上のグラフェンシートがチューブ状に積層された領域を有することを特徴とする中空グラフェンシート構造体である。
【手続補正２３】
【補正対象書類名】明細書
【補正対象項目名】００４５
【補正方法】変更
【補正の内容】
【００４５】
すなわち、本発明者らは、カーボンナノチューブの酸化を誘起する金属微粒子を作用させることで、カーボンナノチューブの形状を加工することが可能となることを見出したものである。また、この作用を利用して、新たなカーボンナノチューブ構造体、微小間隙を有する電極構造体等を提供することも可能としたものである。